(57)【要約】【課題】引出しに電子機器を設ける際に、スライド移動される引出しと他の部位との間に、電子機器に電力を供給する配線等を設ける必要がなく、什器の製造及びメンテナンスが容易に行える太陽電池を備える什器を提供する。【解決手段】屋内に設置されるパネル状の太陽電池１１を備える什器において、電子機器が内蔵された引出し２を有し、引出し２を開閉する前面板１２に、受光面の少なくとも一部を前面板１２から上方および／または側方に向けた太陽電池１１が固定的に設けられ、太陽電池１１が電子機器に電力を供給するようになっている。【選択図】図３
2013131726.tif 000002
【特許請求の範囲】
【請求項１】
屋内に設置されるパネル状の太陽電池を備える什器において、電子機器が内蔵された引出しを有し、該引出しを開閉する前面板に、受光面の少なくとも一部を該前面板から上方および／または側方に向けた太陽電池が固定的に設けられ、該太陽電池が前記電子機器に電力を供給するようになっていることを特徴とする太陽電池を備える什器。
【請求項２】
前記太陽電池は、その受光面が上方に向くように傾斜されて前記前面板の前面に設けられることを特徴とする請求項１に記載の太陽電池を備える什器。
【請求項３】
前記太陽電池は、その受光面が上方に向くように前記前面板の上面に設けられることを特徴とする請求項１または２に記載の太陽電池を備える什器。
【請求項４】
前記太陽電池は、その受光面が湾曲されて前記前面板に設けられることを特徴とする請求項１ないし３のいずれかに記載の太陽電池を備える什器。
【発明の詳細な説明】
【技術分野】
【０００１】
本発明は、屋内に設置されるパネル状の太陽電池を備える什器に関する。
【背景技術】
【０００２】
従来、オフィス等の屋内で使用される自動施錠システムなどの電源として屋内に配置されるソーラーパネル（太陽電池）をオフィス家具（什器）に見映えよく配置したソーラーパネル付き家具がある（例えば、特許文献１参照）。
【先行技術文献】
【特許文献】
【０００３】
【特許文献１】特開２００６−２３０７７１号公報
【発明の概要】
【発明が解決しようとする課題】
【０００４】
特許文献１に記載のようなソーラーパネル付き家具に関して、家具（什器）の引出しにも電気錠（電子機器）を設け、この電気錠に供給する電力をソーラーパネル（太陽電池）により確保したいという利用者側の要望がある。しかしながら、例えば、家具の天板にソーラーパネルを設けると、スライド移動される引出しと他の部位との間に、ソーラーパネルから電気錠に電力を供給する配線等を設ける必要があり、家具の製造及びメンテナンスが煩雑になるという問題がある。
【０００５】
本発明は、このような問題点に着目してなされたもので、引出しに電子機器を設ける際に、スライド移動される引出しと他の部位との間に、電子機器に電力を供給する配線等を設ける必要がなく、什器の製造及びメンテナンスが容易に行える太陽電池を備える什器を提供することを目的とする。
【課題を解決するための手段】
【０００６】
前記課題を解決するために、本発明の太陽電池を備える什器は、
屋内に設置されるパネル状の太陽電池を備える什器において、電子機器が内蔵された引出しを有し、該引出しを開閉する前面板に、受光面の少なくとも一部を該前面板から上方および／または側方に向けた太陽電池が固定的に設けられ、該太陽電池が前記電子機器に電力を供給するようになっていることを特徴としている。
この特徴によれば、引出しの前面板に太陽電池を設けることで、スライド移動される引出しと他の部位との間に、電子機器に電力を供給する配線等を設ける必要がなくなり、電子機器を内蔵した引出しを備える什器の製造及びメンテナンスが容易になるとともに、受光面の少なくとも一部を引出しの前面板から上方および／または側方に向けることで、大きな受光面積を確保しつつ、屋内の天井に設置された照明機器から照射される光を受光し易くすることができ、かつ引出しの前面板に太陽電池が固定的に設けられることで、引出しの開閉によっても太陽電池がぐらつく虞がなく、長期間の使用に耐えられる什器とすることができる。
【０００７】
本発明の太陽電池を備える什器は、
前記太陽電池は、その受光面が上方に向くように傾斜されて前記前面板の前面に設けられることを特徴としている。
この特徴によれば、屋内の天井に設置された照明機器から照射される光は、深い角度で什器に向かって入射されるため、太陽電池の受光面が上方に向くように傾斜されて前面板の前面に設けられることで、照明機器の光の入射方向を太陽電池の受光面に対して垂直に近づけることができ、照明機器の光を用いて太陽電池が効率的に発電を行うことができる。
【０００８】
本発明の太陽電池を備える什器は、
前記太陽電池は、その受光面が上方に向くように前記前面板の上面に設けられることを特徴としている。
この特徴によれば、屋内の天井に設置された照明機器から照射される光は、深い角度で什器に向かって入射されるため、太陽電池の受光面が上方に向くように前面板の上面に設けられることで、照明機器の光の入射方向を太陽電池の受光面に対して垂直に近づけることができ、照明機器の光を用いて太陽電池が効率的に発電を行うことができる。
【０００９】
本発明の太陽電池を備える什器は、
前記太陽電池は、その受光面が湾曲されて前記前面板に設けられることを特徴としている。
この特徴によれば、太陽電池が前面板から大きく外方に突出されずに、その受光面の面積を拡大することができ、照明機器の光を用いて太陽電池が効率的に発電を行うことができる。
【図面の簡単な説明】
【００１０】
【図１】発電装置を備える什器を示す斜視図である。
【図２】引出しの前面板の内部構造を示す部分断面図である。
【図３】引出しを示す側面図である。
【図４】変形例１における引出しを示す側面図である。
【図５】変形例２における引出しを示す側面図である。
【図６】変形例３における引出しを示す側面図である。
【図７】変形例４における引出しを示す側面図である。
【図８】変形例５における引出しを示す側面図である。
【発明を実施するための形態】
【００１１】
本発明に係る太陽電池を備える什器を実施するための形態を実施例に基づいて以下に説明する。
【実施例】
【００１２】
実施例に係る太陽電池を備える什器につき、図１から図３を参照して説明する。図１の符号１は、オフィス等に設置される什器１である。この什器１は、上下３段の引出し２（収納部）が設けられている。そして、これらの引出し２には、引出し２を開放するための取手部３，３’が設けられており（図３参照）、最上段の引出し２には、引出し２の施解錠を行うための摘み部４（操作部）と、施解錠の認証を行う認証装置５（電子機器）と、が設けられている。なお、取手部３，３’は、ラッチ機構（図示略）と連係されており、ラッチ機構により引出し２が不用意に開放されないようにするとともに、取手部３，３’を把持することでラッチ機構が解除されて引出し２が開放可能となる。
【００１３】
図２に示すように、引出し２の内部には、施解錠装置６が設けられている。この施解錠装置６は、前述した摘み部４を有しており、この施解錠装置６が認証装置５とも連動されており、認証装置５により認証が許可された操作者が施解錠を行うことができる。
【００１４】
また、動作部材７が解除方向（右方向）に移動されることで、その先端部が什器１の側板の受け座（図示略）から脱し、引出し２が開放可能になる。そして、認証装置５は、操作者が暗証番号を入力するためのテンキー９と、認証が許可されたか否かを表示するインジケータ１０と、パネル状をなす太陽電池パネル１１と、これらが接続された制御部（図示略）と、を備えている。なお、テンキー９とインジケータ１０と太陽電池パネル１１とは、引出し２の前面板１２の前面（正面）に設けられている（図１及び図２参照）。
【００１５】
そして、この前面板１２の前面の一部には、テンキー９とインジケータ１０と太陽電池パネル１１を配置する配置部３７が形成されており、この配置部３７は、その表面が上方に向くように傾斜されている（図１参照）。なお、図３に示すように、前面板１２の配置部３７は、側面視で三角形状をなしており、その表面に太陽電池パネル１１を配置されるとともに、配置部３７の下辺には、前述した取手部３’が設けられおり、使用者は、この配置部３７の下辺を把持して引出し２を引き出すようになっている。
【００１６】
このように、太陽電池パネル１１の受光面が上方に向くように傾斜されて前面板１２の前面に設けられることで、照明機器の光を用いて太陽電池パネル１１が効率的に発電を行うことができる。また、テンキー９及びインジケータ１０が引出し２の正面側にいる操作者に向くようになるため、テンキー９を使用し易くなるとともに、インジケータ１０を視認し易くなる。なお、引出し２の上端は、什器１の天板３８と同じ高さ位置まで突出されており、前面板１２の前面の表面積を増やすことができ、かつ太陽電池パネル１１に天板３８の前端縁の陰が生じることがなくなる。
【００１７】
また、認証装置５は、太陽電池パネル１１から供給される電力により稼働されるようになっている。さらに、認証装置５の制御部（図示略）には、太陽電池パネル１１にて発電された電力を蓄えるバッテリ（図示略）が設けられている。なお、認証装置５は、電気回路の作動を行うのみで、物理的な機械の動作を行わないようになっているため、室内灯などの微弱な光を用いて太陽電池パネル１１により発電される微量な電力であっても、認証装置５が充分に作動されるようになっている。
【００１８】
以上、本実施例における什器１では、引出し２の前面板１２に太陽電池パネル１１を設けることで、スライド移動される引出し２と什器１の他の部位との間に、認証装置５に電力を供給する配線等を設ける必要がなくなり、認証装置５を内蔵した引出し２を備える什器１の製造及びメンテナンスが容易になるとともに、受光面を引出し２の前面板１２から上方に向けることで、大きな受光面積を確保しつつ、屋内の天井に設置された照明機器から照射される光を受光し易くすることができ、かつ引出し２の前面板１２に太陽電池パネル１１が固定的に設けられることで、引出し２の開閉によっても太陽電池パネル１１がぐらつく虞がなく、長期間の使用に耐えられる什器１とすることができる。
【００１９】
また、屋内の天井に設置された照明機器から照射される光は、深い角度で什器１に向かって入射されるため、太陽電池パネル１１の受光面が上方に向くように傾斜されて前面板１２の前面に設けられることで、照明機器の光の入射方向を太陽電池パネル１１の受光面に対して垂直に近づけることができ、照明機器の光を用いて太陽電池パネル１１が効率的に発電を行うことができる。
【００２０】
次に、変形例としての引出し２につき、図４から図８を参照して説明する。図４の変形例１の引出し２ａでは、その前面板１２の前面に太陽電池パネル１１の上辺が固着されており、この太陽電池パネル１１自体が、その受光面が上方に向くように傾斜されている。このようにすることで、前面板１２に前述のような配置部３７を形成せずに済むようになる。
【００２１】
図５の変形例２の引出し２ｂでは、その前面板１２の前面が前方に膨出するように湾曲された湾曲面３９となっており、この前面板１２の湾曲面３９に沿って受光面が湾曲された太陽電池パネル１１が設けられている。このようにすることで、太陽電池パネル１１が前面板１２から大きく前方に突出されずに、その受光面の面積を拡大することができ、照明機器の光を用いて太陽電池パネル１１が効率的に発電を行うことができる。
【００２２】
図６の変形例２の引出し２ｃでは、その前面板１２の上端縁近傍が切り欠かれて傾斜面４０が形成されており、この傾斜面４０に太陽電池パネル１１が配置されている。このようにすることで、前面板１２を前方に突出させずに、受光面が上方を向く太陽電池パネル１１を設けることができる。
【００２３】
図７の変形例２の引出し２ｄでは、その前面板１２の上端縁が前方に突出され、前面板１２の上面の面積が増やされている。そして、この前面板１２の上面に、受光面が上方を向く太陽電池パネル１１が設けられる。屋内の天井に設置された照明機器から照射される光は、ほぼ垂直の深い角度で什器１に向かって入射されるため、太陽電池パネル１１の受光面が上方に向くように前面板１２の上面に設けられることで、照明機器の光の入射方向を太陽電池パネル１１の受光面に対して垂直に近づけることができ、照明機器の光を用いて太陽電池パネル１１が効率的に発電を行うことができる。
【００２４】
図８の変形例２の引出し２ｅでは、その前面板１２の側面及び上面に太陽電池パネル１１が設けられている。このように、前面板１２の上面及び側面を利用して太陽電池パネル１１を設けることで、前面板１２を正面視の見映えを向上させることができる。なお、前面板１２の上面または側面のいずれか一方に太陽電池パネル１１を設けるようにしてもよい。さらになお、前面板１２の上面、側面及び前面の全ての面に太陽電池パネル１１を設けるようにすれば、前面板１２の表面積を最大限利用して太陽電池パネル１１の受光面積を確保できる。
【００２５】
なお、窓から室内に太陽光が入射された場合、この窓から室内に入射される太陽光は、屋内の天井に設置された照明機器から照射される光と比較して、浅い角度で什器１に向かって入射される場合が多く、この太陽光が什器１の前面板１２に設けられた太陽電池パネル１１の受光面により反射されて什器１の正面側にいる事務員の目線や事務作業を行う机上に入射されて事務作業の邪魔になることがある。しかしながら、本実施例における什器１では、この太陽光が什器１の前面板１２に設けられた太陽電池パネル１１の受光面により反射されても、太陽電池パネル１１の受光面が前面板１２から上方または側方の方向に向けられていることで、反射された太陽光が、什器１の正面側に着席している事務員の目線や事務作業を行う机上に入射され難くなり、反射された太陽光が、事務員の事務作業の邪魔になることを防ぐことができる。
【００２６】
以上、本発明の実施例を図面により説明してきたが、具体的な構成はこれら実施例に限られるものではなく、本発明の要旨を逸脱しない範囲における変更や追加があっても本発明に含まれる。
【００２７】
例えば、前記実施例では、引出し２に設けられた認証装置５の電源として太陽電池パネル１１を用いているが、太陽電池パネル１１にて発電した電力を施解錠装置６に供給して、認証装置５及び施解錠装置６の双方の電力をまかなうようにしてもよい。
【符号の説明】
【００２８】
１                什器
２                引出し（収納部）
５                認証装置（電子機器）
６                施解錠装置
１１              太陽電池パネル
１２              前面板
【図１】
2013131726.tif 000003
【図２】
2013131726.tif 000004
【図３】
2013131726.tif 000005
【図４】
2013131726.tif 000006
【図５】
2013131726.tif 000007
【図６】
2013131726.tif 000008
【図７】
2013131726.tif 000009
【図８】
2013131726.tif 000010